(57)【要約】【課題】装飾石鹸において、装飾が立体的で複雑な意匠である場合でも、造形による装飾を、人に共感を与える程に質感に富み、かつインテリアに相応しい態様で、施すことができている造形装飾石鹸、及びその製造方法を提供する。【解決手段】造形装飾石鹸３０は、装飾３２を、固形状の石鹸で造形した装飾部３１を有している。装飾部３１は、主成分である植物性油脂１０に、植物性油脂１０の添加剤として、キャスターオイルまたは太白胡麻油のうち、少なくとも一方の油脂を配合した添加剤混合油脂５と、苛性アルカリ水溶液６とを混合したソープクリーム１からなる。【選択図】 図１
2020200398.tif 000002
【特許請求の範囲】
【請求項１】
装飾を、固形状の石鹸で造形した装飾部を有し、
前記装飾は、主成分である植物性油脂に、前記植物性油脂の添加剤として、キャスターオイル、または太白胡麻油のうち、少なくとも一方の油脂を配合した添加剤混合油脂と、苛性アルカリ水溶液とを混合した添加剤含有混合物からなること、
を特徴とする造形装飾石鹸。
【請求項２】
請求項１に記載する造形装飾石鹸において、
第１の前記添加剤であるキャスターオイルが配合された前記添加剤混合油脂では、
前記添加剤混合油脂全体を１とすると、
前記第１の添加剤は、前記添加剤混合油脂全体に占める添加割合ｍを、０．０１≦ｍ≦０．１とした範囲内で配合されていること、
を特徴とする造形装飾石鹸。
【請求項３】
請求項２に記載する造形装飾石鹸において、
前記添加剤混合油脂は、前記植物性油脂の主成分の一つに、少なくともココナッツオイルを含んでなること、
を特徴とする造形装飾石鹸。
【請求項４】
請求項２または請求項３に記載する造形装飾石鹸において、
第２の前記添加剤である太白胡麻油が配合された前記添加剤混合油脂では、
前記添加剤混合油脂全体を１とすると、
前記第２の添加剤は、前記添加剤混合油脂全体に占める添加割合ｎを、０．１≦ｎ≦０．５とした範囲内で配合されていること、
を特徴とする造形装飾石鹸。
【請求項５】
請求項１乃至請求項４のいずれか１つに記載する造形装飾石鹸において、
前記植物性油脂の主成分は、オリーブオイル、ココナッツオイル、及びパームオイルであること、
を特徴とする造形装飾石鹸。
【請求項６】
固形状の石鹸で造形された装飾を製造するにあたり、
オリーブオイル、ココナッツオイル、及びパームオイルのうち、少なくとも何れかの油脂を主成分に含む植物性油脂と、キャスターオイル、または太白胡麻油のうち、少なくとも一方の油脂とを混合させた添加剤混合油脂を、３５〜４５℃に温度調整すると共に、前記添加剤混合油脂とは別で、苛性アルカリ水溶液を、３５〜４５℃に温度調整する第１工程と、
前記第１工程の後、前記添加剤混合油脂と前記苛性アルカリ水溶液とを混合した添加剤含有混合物を撹拌することにより、粘度１００±１０（Ｐａ・ｓ）の範囲内にあるクリーム状の前記添加剤含有混合物を生成する第２工程と、を有すること、
を特徴とする造形装飾石鹸の製造方法。
【請求項７】
請求項６に記載する造形装飾石鹸の製造方法において、
前記第２工程では、前記添加剤含有混合物に着色剤を配合して撹拌することにより、着色した前記添加剤含有混合物を生成すること、
を特徴とする造形装飾石鹸の製造方法。
【発明の詳細な説明】
【技術分野】
【０００１】
本発明は、固形の石鹸に装飾を造形した造形装飾石鹸、及びその製造方法に関する。
【背景技術】
【０００２】
固形の石鹸（以下、「固形石鹸」と称する。）は、日常生活の中で、主に手や顔等を洗うのに用いる日用品であり、粗品、歳暮等の贈答品としても利用されている。また、固形石鹸の中には、日用の用途を備えつつ、インテリアにもなり得るとして、装飾が石鹸本体に施されたものもある。そのような装飾石鹸の一例が、特許文献１，２に開示されている。
【０００３】
特許文献１は、石鹸本体の表面に押し花を載せ、透明のフィルムで押し花を覆って石鹸本体の表面に貼付した押し花付き石鹸である。特許文献１によれば、自然の草花からなる押し花が、石鹸に装飾されているため、斬新な意匠性がアピールでき、贈答品としての付加価値は、より高いものになるとされている。
【０００４】
また、浴室内のインテリアになり得る装飾石鹸の一例が、特許文献２に開示されている。特許文献２は、熱変色性インキによる印刷像を石鹸の表面に形成した装飾石鹸である。特許文献２では、約４０℃の湯をかけ、装飾石鹸が所定の温度を超えると、表面上の印刷像が、消失または顕出することによって変化する。そのため、特許文献２の装飾石鹸が浴室内で使用されると、風呂嫌いの子供にとって、入浴の楽しみを得ることができるほか、特許文献２の装飾石鹸は、浴室内のインテリアにもなるため、興趣に富んだ石鹸とされている。
【先行技術文献】
【特許文献】
【０００５】
【特許文献１】実用新案登録第３０６４４８７号公報
【特許文献２】特開平５−２３９４９８号公報
【発明の概要】
【発明が解決しようとする課題】
【０００６】
装飾石鹸が、例えば、化粧室やバスルーム等の設備において、手等の素肌を洗う洗浄剤の用途のほか、インテリアとした用途で配備されていると、設備内の空間において、優美さや清潔感に満ちた雰囲気が醸し出され、設備の使用者にとって快適な空間となる。しかしながら、特許文献１の押し花付き石鹸や、特許文献２の装飾石鹸をはじめ、固形石鹸に装飾を施した従来の装飾石鹸は、平面的な装飾を単に石鹸の表面に施したものに過ぎない。このような従来の装飾石鹸を、前述したような化粧室等の設備に配備した場合、従来の装飾石鹸の装飾は、臨場感のある立体的な演出に欠ける。そのため、特に、ホテルやビル、娯楽施設等で、ゲストルームや宿泊部屋、ロビー、カンファレンス、化粧室、バスルーム等の設備に対し、快適な空間の形成に十分に貢献できない虞があるほか、鑑賞の対象となり得る装飾も具備しておらず、インテリアとして十分に機能していない蓋然性が極めて高かった。
【０００７】
本発明は、上記問題点を解決するためになされたものであり、装飾石鹸において、装飾が立体的で複雑な意匠である場合でも、造形による装飾を、人に共感を与える程に質感に富み、かつインテリアに相応しい態様で、施すことができている造形装飾石鹸、及びその製造方法を提供することを目的とする。
【課題を解決するための手段】
【０００８】
上記目的を達成するために、本発明に係る造形装飾石鹸は、以下の構成を有する。
（１）装飾を、固形状の石鹸で造形した装飾部を有し、前記装飾は、主成分である植物性油脂に、前記植物性油脂の添加剤として、キャスターオイル、または太白胡麻油のうち、少なくとも一方の油脂を配合した添加剤混合油脂と、苛性アルカリ水溶液とを混合した添加剤含有混合物からなること、を特徴とする。
（２）（１）に記載する造形装飾石鹸において、第１の前記添加剤であるキャスターオイルが配合された前記添加剤混合油脂では、前記添加剤混合油脂全体を１とすると、前記第１の添加剤は、前記添加剤混合油脂全体に占める添加割合ｍを、０．０１≦ｍ≦０．１とした範囲内で配合されていること、を特徴とする。
（３）（２）に記載する造形装飾石鹸において、前記添加剤混合油脂は、前記植物性油脂の主成分の一つに、少なくともココナッツオイルを含んでなること、を特徴とする。
（４）（２）または（３）に記載する造形装飾石鹸において、第２の前記添加剤である太白胡麻油が配合された前記添加剤混合油脂では、前記添加剤混合油脂全体を１とすると、前記第２の添加剤は、前記添加剤混合油脂全体に占める添加割合ｎを、０．１≦ｎ≦０．５とした範囲内で配合されていること、を特徴とする。
（５）（１）乃至（４）のいずれか１つに記載する造形装飾石鹸において、前記植物性油脂の主成分は、オリーブオイル、ココナッツオイル、及びパームオイルであること、を特徴とする。
【０００９】
また、上記目的を達成するために、本発明に係る造形装飾石鹸の製造方法は、以下の構成を有する。
（６）固形状の石鹸で造形された装飾を製造するにあたり、オリーブオイル、ココナッツオイル、及びパームオイルのうち、少なくとも何れかの油脂を主成分に含む植物性油脂と、キャスターオイル、または太白胡麻油のうち、少なくとも一方の油脂とを混合させた添加剤混合油脂を、３５〜４５℃に温度調整すると共に、前記添加剤混合油脂とは別で、苛性アルカリ水溶液を、３５〜４５℃に温度調整する第１工程と、前記第１工程の後、前記添加剤混合油脂と前記苛性アルカリ水溶液とを混合した添加剤含有混合物を撹拌することにより、粘度１００±１０（Ｐａ・ｓ）の範囲内にあるクリーム状の前記添加剤含有混合物を生成する第２工程と、を有すること、を特徴とする。
（７）（６）に記載する造形装飾石鹸の製造方法において、前記第２工程では、前記添加剤含有混合物に着色剤を配合して撹拌することにより、着色した前記添加剤含有混合物を生成すること、を特徴とする。
【発明の効果】
【００１０】
上記構成を有する本発明の造形装飾石鹸の製造方法の作用・効果について説明する。
（１）装飾を、固形状の石鹸で造形した装飾部を有し、装飾は、主成分である植物性油脂に、植物性油脂の添加剤として、キャスターオイル、または太白胡麻油のうち、少なくとも一方の油脂を配合した添加剤混合油脂と、苛性アルカリ水溶液とを混合した添加剤含有混合物からなること、を特徴とする。この特徴により、本発明の造形装飾石鹸は、適度な保湿効果、高い洗浄力、及びきめ細やかな泡立ち等と、手等の素肌を洗う洗浄剤としても優れている上に、例えば、実施例１，２に例示されているように、意匠上、特徴ある立体形状に造形された装飾（装飾部）の存在により、インテリアに相応しい装飾品として、鑑賞に値する美術的な価値を有した装飾石鹸となり得る。
【００１１】
従って、本発明に係る造形装飾石鹸によれば、手等の素肌を洗う洗浄剤としても優れている上、装飾が立体的で複雑な意匠である場合でも、造形による装飾を、人に共感を与える程に質感に富み、かつインテリアに相応しい態様で、施すことができている、という優れた効果を奏する。
【００１２】
（２）に記載する造形装飾石鹸において、第１の添加剤であるキャスターオイルが配合された添加剤混合油脂では、添加剤混合油脂全体を１とすると、第１の添加剤は、添加剤混合油脂全体に占める添加割合ｍを、０．０１≦ｍ≦０．１とした範囲内で配合されていること、を特徴とする。この特徴により、本発明の造形装飾石鹸は、装飾にキャスターオイルを含有しているため、キャスターオイルは、とろみを有した滑らか性状であることから、手等の素肌を洗う洗浄剤として、しっとりとした保湿感で使い心地の良い感触を、使用者に提供することができる。また、キャスターオイルが、このような添加割合ｍ（０．０１≦ｍ≦０．１）で配合されていると、装飾の造形にあたり、添加剤含有混合物を、装飾の造形後も型崩れしない程度の粘性で絞り出して造形することができるため、装飾が、例えば、実施例１，２に例示されている花びらや葉のように、小さくて薄く、柔和な曲線美をなす複雑な幾何学形状であっても、所望の形状に造形することができている。
【００１３】
（３）に記載する造形装飾石鹸において、添加剤混合油脂は、植物性油脂の主成分の一つに、少なくともココナッツオイルを含んでなること、を特徴とする。この特徴により、キャスターオイルとココナッツオイルとを組み合わせて配合された本発明の造形装飾石鹸を、手等の素肌を洗う用途で使用すると、本発明の造形装飾石鹸では、弾力性に優れた泡が立つ。
【００１４】
（４）に記載する造形装飾石鹸において、第２の添加剤である太白胡麻油が配合された添加剤混合油脂では、添加剤混合油脂全体を１とすると、第２の添加剤は、添加剤混合油脂全体に占める添加割合ｎを、０．１≦ｎ≦０．５とした範囲内で配合されていること、を特徴とする。この特徴により、本発明の造形装飾石鹸は、手等の素肌を洗う洗浄剤として、過度な保湿感を抑えてさっぱりとした石鹸となる傍ら、造形された装飾の使用にあたり、程良い固さにすることができている。特に、添加剤混合油脂に、第１の添加剤であるキャスターオイルと共に、第２の添加剤である太白胡麻油が配合されていると、このような添加剤混合油脂を用いた本発明の造形装飾石鹸は、キャスターオイルに起因した保湿感と、太白胡麻油に起因したさっぱり感を、適度に両立して調和させた物性になる。
【００１５】
（５）に記載する造形装飾石鹸において、植物性油脂の主成分は、オリーブオイル、ココナッツオイル、及びパームオイルであること、を特徴とする。この特徴により、本発明の造形装飾石鹸は、適度な保湿効果と、高い洗浄力と、きめ細やかな泡立ちと、溶け難い固さとを、バランス良く調和させた性状となる。
【００１６】
また、上記構成を有する本発明の造形装飾石鹸の製造方法の作用・効果について説明する。
（６）固形状の石鹸で造形された装飾を製造するにあたり、オリーブオイル、ココナッツオイル、及びパームオイルのうち、少なくとも何れかの油脂を主成分に含む植物性油脂と、キャスターオイル、または太白胡麻油のうち、少なくとも一方の油脂とを混合させた添加剤混合油脂を、３５〜４５℃に温度調整すると共に、添加剤混合油脂とは別で、苛性アルカリ水溶液を、３５〜４５℃に温度調整する第１工程と、第１工程の後、添加剤混合油脂と苛性アルカリ水溶液とを混合した添加剤含有混合物を撹拌することにより、粘度１００±１０（Ｐａ・ｓ）の範囲内にあるクリーム状の添加剤含有混合物を生成する第２工程と、を有すること、を特徴とする。
【００１７】
この特徴により、装飾を具備した本発明の造形装飾石鹸は、手等の素肌を洗う洗浄剤として、人体に優しい仕様の石鹸に仕上がっている上、インテリアとしても、人に共感を与える程に質感に富み、鑑賞の対象となり得る。
【００１８】
従って、本発明に係る造形装飾石鹸の製造方法によれば、手等の素肌を洗う洗浄剤としても優れている上、装飾が立体的で複雑な意匠である場合でも、造形による装飾を、人に共感を与える程に質感に富み、かつインテリアに相応しい態様で、施すことができる、という優れた効果を奏する。
【００１９】
（７）に記載する造形装飾石鹸の製造方法において、第２工程では、添加剤含有混合物に着色剤を配合して撹拌することにより、着色した添加剤含有混合物を生成すること、を特徴とする。
【００２０】
この特徴により、装飾が、意匠上、特徴ある色彩で造形できるため、装飾を具備した造形装飾石鹸に対し、美術的な付加価値が高まる。
【図面の簡単な説明】
【００２１】
【図１】実施形態に係る造形装飾石鹸の装飾の材料となるソープクリームの組成を模式的に示す説明図である。
【図２】実施形態に係る造形装飾石鹸の製造方法により、ソープクリームを生成するまでの過程を示すフローチャート図である。
【図３】生成されたソープクリームの表面状態を示す説明図である。
【図４】ソープクリームを充填した様子を示す説明図であり、（ａ）は絞り袋に充填した場合を、（ｂ）はコルネに充填した場合を、それぞれ示す図である。
【図５】絞り袋からソープクリームを絞り出し、造形装飾石鹸の土台上に装飾を造形する様子を示す説明図である。
【図６】絞り袋からソープクリームを絞り出して、フラワーネイル上に装飾を造形した様子を示す説明図である。
【図７】実施例１に係る造形装飾石鹸として、ソープクリームにより造形された装飾を施したフラワーカップケーキソープを示す図である。
【図８】実施例２に係る造形装飾石鹸として、ソープクリームにより造形された装飾を施したフラワーケーキソープを示す図である。
【発明を実施するための形態】
【００２２】
以下、本発明に係る造形装飾石鹸と、その製造方法について、実施形態を図面に基づいて詳細に説明する。本発明の造形装飾石鹸は、本実施形態では、主にインテリアとして飾る装飾用途や、日常生活の中で、手等の素肌を洗う洗浄剤の用途に使用されるとして、固形状の石鹸で造形した装飾を施した装飾付きの石鹸である。
【００２３】
はじめに、造形装飾石鹸の配備による影響について、簡単に説明する。石鹸に装飾を施した装飾石鹸は、例えば、化粧室やバスルーム等の設備に配備されることで、化粧室等を、優美さや清潔感に満ちた快適な空間を醸し出すことができる。そのため、装飾石鹸が、単にインテリアとして飾られる場合のほか、たとえ手等を洗う日用の用途で、化粧室等の場に配備されているだけでも、装飾石鹸の使用者は、その場の雰囲気から、優美さや清潔感、おしゃれ心等を自然に感じ取ることができ、豊かな気持ちになる。
【００２４】
石鹸は、一般的に人に安らぎを与えるものとされていることから、装飾石鹸は、多くの人から喜ばれ、人気を集めている。特に、癒しの効果を供する装飾物（インテリア）として、装飾石鹸が、次に例示するような建物や施設等に配備されていると、それを鑑賞する人にとって、老若男女を問わず、ビジネスマンや観光客等の来訪者の間でも幅広く好まれ、支持される傾向にある。
【００２５】
その一例となる事案として、近年、日本国内への外国人訪問者が急増している傍ら、２０２０年に東京五輪等の開催や、２０２７年にリニア中央新幹線の開通が、それぞれ予定されている。その影響で、これまでよりさらに多くの要人やビジネスマン、観光客等、様々な人が来日するものと予想され、ホテルやビル、集合住宅、娯楽施設等の建物や施設が、新規に建設されている。このような新設の建物等のうち、特に、ゲストルームや宿泊部屋、ロビー、カンファレンス、化粧室、バスルーム等の設備では、インテリア性を備え、優美でリアリティーに富むおしゃれな装飾石鹸の配備が希求されている。それ以外にも、多くの人が集まる施設や、来客した人を家でもてなす部屋等の空間にも、このような装飾石鹸を配備したいと希望する人も、大勢いる。
【００２６】
ところが、前述した建物内のゲストルーム等の設備をはじめ、多くの人が集まる施設や、来客した人を家でもてなす部屋等の空間に、従来の装飾石鹸が配備されていても、従来の装飾石鹸は、快適な空間の形成に十分に貢献できない虞があるほか、鑑賞の対象となり得る装飾も具備しておらず、インテリアとして十分に機能していない蓋然性が極めて高かった。本実施形態の造形装飾石鹸は、このような従来の装飾石鹸の欠点を解消すべく、臨場感に満ちた立体的な装飾を施すことで、人に共感を与える程に質感を備えた装飾石鹸として、開発されたものである。
【００２７】
はじめに、本実施形態の造形装飾石鹸の態様について、例示する実施例１，２を用いて簡単に説明する。図７は、実施例１に係る造形装飾石鹸として、ソープクリームにより造形された装飾を施したフラワーカップケーキソープを示す図である。図８は、実施例２に係る造形装飾石鹸として、ソープクリームにより造形された装飾を施したフラワーケーキソープを示す図である。
【００２８】
＜実施例１＞
図７に示すように、実施例１に係る造形装飾石鹸３０Ａ（造形装飾石鹸３０）は、まさに洋菓子のカップケーキに仕立て、石鹸により、その風合いをリアルに表現して造形されたフラワーカップケーキソープである。造形装飾石鹸３０Ａは、その土台となる本体部３４Ａ（本体部３４）と、その本体部３４Ａの上面部に形成された装飾部３１Ａ（装飾部３１）を具備している。本体部３４Ａは、石鹸で造形されていると共に、装飾部３１Ａでも、花である装飾３２Ａ（装飾３２）が複数、固形状の石鹸で造形されている。
【００２９】
＜実施例２＞
図８に示すように、実施例２に係る造形装飾石鹸３０Ｂ（造形装飾石鹸３０）は、まさに洋菓子にあるホール状のデコレーションケーキに仕立て、石鹸により、その風合いをリアルに表現して造形されたフラワーケーキソープである。造形装飾石鹸３０Ｂは、その土台となる本体部３４Ｂ（本体部３４）と、その本体部３４Ｂの上面部に形成された装飾部３１Ｂ（装飾部３１）を具備している。本体部３４Ｂは、石鹸で造形されていると共に、装飾部３１Ｂでも、花である装飾３２Ｂ（装飾３２）が複数、固形状の石鹸で造形されている。
【００３０】
次に、本実施形態の造形装飾石鹸の製造方法について、説明する。図１は、実施形態に係る造形装飾石鹸の装飾の材料となるソープクリームの組成を模式的に示す説明図である。実施例１，２をはじめとする造形装飾石鹸３０では、装飾部３１は、図１にように、主成分である植物性油脂１０に、植物性油脂１０の添加剤２０として、キャスターオイルまたは太白胡麻油のうち、少なくとも一方の油脂を配合した添加剤混合油脂５と、苛性アルカリ水溶液６とを混合した添加剤含有混合物１からなる。
【００３１】
添加剤混合油脂５は、植物性油脂１０の主成分の一つに、少なくともココナッツオイルを含んでなり、本実施形態では、植物性油脂１０の主成分が、オリーブオイル、ココナッツオイル、及びパームオイルとなっている。また、添加剤混合油脂５に含有する添加剤２０は、本実施形態では、第１の添加剤２１であるキャスターオイルと、第２の添加剤２２である太白胡麻油との２種である。すなわち、添加剤混合油脂５は、オリーブオイル、ココナッツオイル、及びパームオイルからなる植物性油脂１０と、キャスターオイル（第１の添加剤２１）及び太白胡麻油（第２の添加剤２２）とを混合してなる。
【００３２】
添加剤含有混合物１は、添加剤混合油脂５と、苛性アルカリ水溶液６（苛性ソーダ水溶液）との混合物であり、装飾３２の材料となるソープクリーム１である。そのソープクリーム１を生成する上で、添加剤混合油脂５に配合させる添加剤２０の割合は、次の通りになっている。添加剤混合油脂５全体の割合を１とすると、第１の添加剤２１は、添加剤混合油脂５全体に占める添加割合ｍを、０．０１≦ｍ≦０．１とした範囲内で配合されている。また、第２の添加剤２２は、添加剤混合油脂５全体に占める添加割合ｎを、０．１≦ｍ≦０．５とした範囲内で配合されている。
【００３３】
具体的に説明する。前述の実施例１で例示した造形装飾石鹸３０（３０Ａ）の装飾部３１を造形するにあたり、例えば、１４７ｇのソープクリーム１を生成しておく場合には、添加剤混合油脂５を１００ｇ、苛性アルカリ水溶液６を４７ｇ、それぞれ混合させる。この添加剤混合油脂５のうち、植物性油脂１０分の内訳として、オリーブオイル（けん化価１９１）は３５ｇであり、ココナッツオイル（けん化価２５８）は１５ｇであり、パームオイル（けん化価２０３）は２０ｇである。また、添加剤２０分の内訳として、第１の添加剤２１であるキャスターオイル（けん化価１３０）は５ｇであり、第２の添加剤２２である太白胡麻油（けん化価１９１）は２５ｇである。苛性アルカリ水溶液６は、苛性ソーダを約１４ｇ、精製水を３３ｇ、これらを混合してなる。
【００３４】
すなわち、合計１００ｇの添加剤混合油脂５に対し、第１の添加剤２１は５ｇであることから、第１の添加剤２１の添加割合ｍは、０．０５である。また、第２の添加剤２２は２５ｇであることから、第２の添加剤２２の添加割合ｎは、０．２５である。なお、第１の添加剤２１の場合、図５及び図６に示すように、絞り袋７０等からソープクリーム１を絞り出して装飾３２を造形する上で、キャスターオイルの添加割合ｍが、０．０１を下回ると、生成されたソープクリーム１全体の粘性が、小さくなり過ぎてしまい、装飾３２の形を整えることが困難になる。その反対に、添加割合ｍが０．１を上回ってしまうと、生成されたソープクリーム１全体の粘性が、大きくなり過ぎてしまい、ソープクリーム１が、絞り袋７０等から絞り出し難くなってしまい、装飾３２の造形が困難になるので、好ましくない。同様に、第２の添加剤２２の場合、装飾３２をはじめ、造形装飾石鹸３０を、手等の素肌を洗う洗浄剤として使用する人にとって、太白胡麻油の添加割合ｎが、０．１を下回ると、保湿のないさっぱりとした感触を効果的に得られなく、０．５を上回ってしまうと、適度な潤いを与える感触が失われてしまうので、好ましくない。
【００３５】
苛性アルカリ水溶液６の苛性ソーダの量は、周知の式（１）に基づき、添加剤混合油脂５を構成する各オイルの量毎に対応させて、算出される。
けん化価×４０／５６．１／１０００＝オイル１ｇに必要な苛性ソーダの量（ｇ）…式（１）
【００３６】
実施例１の場合、オリーブオイルに対して必要な苛性ソーダの量は、４．８ｇである。ココナッツオイルに対して必要な苛性ソーダの量は、２．８ｇである。パームオイルに対して必要な苛性ソーダの量は、２．９ｇである。キャスターオイルに対して必要な苛性ソーダの量は、０．５ｇである。太白胡麻油に対して必要な苛性ソーダの量は、３．４ｇであり、これら５種のオイルに対して必要な苛性ソーダの総量は、１４．４ｇ≒約１４ｇである。精製水の量は、使用するオイル全量（添加剤混合油脂５を１００ｇ）に対し、約３０％に相当する量であり、実施例１の場合には、精製水は３３ｇである。
【００３７】
次に、ソープクリーム１の生成方法について、図２及び図３を用いて説明する。図２は、実施形態に係る造形装飾石鹸の製造方法により、ソープクリームを生成するまでの過程を示すフローチャート図である。図３は、生成されたソープクリームの表面状態を示す説明図である。
【００３８】
図２に示すように、まず、ソープクリーム１の生成に必要な添加剤混合油脂５を調合する上で、前述したように、配合させる５種のオイル（オリーブオイル、ココナッツオイル、パームオイル、キャスターオイル、太白胡麻油）に対し、それぞれのオイルを計量して、一つのボウル内に入れる（Ｓ１）。次に、ボウル内の５種のオイルは、液体状のオイル（オリーブオイル、キャスターオイル、太白胡麻油）と固体状のオイル（ココナッツオイル、パームオイル）とが共存した状態になっているため、５種のオイルを加熱することで、完全な融液状態に調合された添加剤混合油脂５を生成する（Ｓ２）。次に、Ｓ２では、添加剤混合油脂５の温度が４５℃超えになっているため、Ｓ３では、添加剤混合油脂５の温度を、空冷により３５〜４５℃の温度帯域内に調整する。
【００３９】
他方、ソープクリーム１の生成に必要な苛性アルカリ水溶液６（苛性ソーダ水溶液）を調合する上で、前述したように、苛性ソーダと精製水とをそれぞれ計量した後、添加剤混合油脂５とは別の容器内に苛性ソーダと精製水を入れて、苛性ソーダを精製水に溶解させる。溶解時には、苛性ソーダと水との化学反応により、苛性アルカリ水溶液６の温度が４５℃超えで上昇するため、苛性アルカリ水溶液６の温度を、添加剤混合油脂５と同様、空冷により３５〜４５℃の温度帯域内に調整する（Ｓ４）。
【００４０】
次に、添加剤混合油脂５の温度と苛性アルカリ水溶液６の温度が、双方とも３５〜４５℃の温度帯域に調整されたら、苛性アルカリ水溶液６に残留する異物を、メッシュ状の金属製フィルタを通じて濾過しながら、苛性アルカリ水溶液６を、ボウル内の添加剤混合油脂５に加える。これにより、添加剤混合油脂５と苛性アルカリ水溶液６とが、ボウル内で共存し混合される（Ｓ５）。Ｓ５において、添加剤混合油脂５と苛性アルカリ水溶液６とが混合した添加剤含有混合物１を、ブレンダで撹拌し、まずパンケーキ生地程の固さに相当する高い粘り気を有した状態になるまで、混合させる（Ｓ６）。必要に応じて、造形装飾石鹸３０に香りを付ける場合、この状態の下で、アロマオイルをこの添加剤含有混合物１に添加する。
【００４１】
さらに、添加剤含有混合物１を撹拌し続けることにより、添加剤含有混合物１の粘度が、ちょうど市販のマヨネーズの硬さに相当した粘り気（粘度が概ね１５〜２０Ｐａ・ｓ）になった状態で、装飾３２を彩る色素として、着色剤を、この添加剤含有混合物１に加える（Ｓ７）。着色剤は、例えば、雲母を素材としたマイカパウダー（白色）をベースに、マイカパウダーの表面に天然素材であり、ブルーパール、アイスグリーン、ルビー、スミレ等に着色したカラーマイカパウダーのほか、ハーブ、スパイス、ココア等の粉末食材、スキンケア専用の粉末クレイ等である。次に、添加剤含有混合物１と着色剤とを、泡立て器で撹拌して混合させる（Ｓ８）。
【００４２】
添加剤含有混合物１と着色剤を撹拌し続け、その添加剤含有混合物１の粘度が、概ね１００±１０（Ｐａ・ｓ）になったところで、着色剤を混合した添加剤含有混合物１の表面に、図３に示すように、尖端をなす角状の突起２がピンと立った状態で形成できるようになる。このような状態にある添加剤含有混合物１は、ちょうど洋菓子に用いるホイップクリームのような、滑らかな粘性を有したクリーム状になっており、ソープクリーム１（クリーム状の添加剤含有混合物）として、装飾３２を造形する材料に適す性状の生地にできている。かくして、ソープクリーム１は生成される（Ｓ９）。
【００４３】
次に、装飾３２を造形する要領について、簡単に説明する。図４は、ソープクリームを充填した様子を示す説明図であり、（ａ）は絞り袋に充填した場合を、（ｂ）はコルネに充填した場合を、それぞれ示す図である。図５は、絞り袋からソープクリームを絞り出し、造形装飾石鹸の土台上に装飾を造形する様子を示す説明図である。図６は、絞り袋からソープクリームを絞り出して、フラワーネイル上に装飾を造形した様子を示す説明図である。
【００４４】
ソープクリーム１は、図４に示すように、洋菓子作りに用いる口金７１付きの絞り袋７０や、コルネ７５に充填される。図５に示すように、ソープクリーム１は、絞り袋７０の口金７１から絞り出され、造形装飾石鹸３０の本体部３４（図５では、造形装飾石鹸３０Ａの本体部３４Ａ）上に、所望の形状に成形しながら、装飾３２が造形される。また、例えば、小さな花びらや、細やかな葉等の装飾３２Ａ，３２Ｂ（３２）を、より小さく精巧に造形する場合には、ソープクリーム１は、コルネ７５からフラワーネイル８０の皿８１上に絞り出され、装飾３２が造形される。造形された装飾３２は、フラワーネイル８０から造形装飾石鹸３０の本体部３４に移されて飾られる。
【００４５】
次に、本実施形態の造形装飾石鹸３０、及びその製造方法の作用・効果について説明する。本実施形態の造形装飾石鹸３０は、装飾３２を、固形状の石鹸で造形した装飾部３１を有し、装飾３２は、主成分である植物性油脂１０に、植物性油脂１０の添加剤２０として、キャスターオイルまたは太白胡麻油のうち、少なくとも一方の油脂を配合した添加剤混合油脂５と、苛性アルカリ水溶液６とを混合した添加剤含有混合物１からなること、を特徴とする。
【００４６】
この特徴により、造形装飾石鹸３０は、適度な保湿効果、高い洗浄力、及びきめ細やかな泡立ち等と、手等の素肌を洗う洗浄剤としても優れている上に、実施例１，２に例示されているように、意匠上、特徴ある立体形状に造形された装飾３２（装飾部３１）の存在により、インテリアに相応しい装飾品として、鑑賞に値する美術的な価値を有した装飾石鹸となり得る。また、造形装飾石鹸３０では、装飾部３１は、立体的に臨場感ある演出に貢献する要素になっているため、造形装飾石鹸３０は、それを見る人に強いインパクトを与え、十分な付加価値を伴った装飾石鹸であると、認識される蓋然性は高い。特に、造形装飾石鹸３０が、例えば、ゲストルームや宿泊部屋、ロビー、化粧室、バスルーム等の設備や、多くの人が集まる施設、来客した人を家でもてなす部屋等の室内空間に配備されると、このような室内空間に対し、造形装飾石鹸３０は、優美さや清潔感に満ちた雰囲気が醸し出され、人にとって快適となる室内の環境作りに貢献することができる。
【００４７】
従って、本実施形態の造形装飾石鹸３０によれば、手等の素肌を洗う洗浄剤としても優れている上、装飾３２（装飾部３１）が立体的で複雑な意匠である場合でも、造形による装飾部３１を、人に共感を与える程に質感に富み、かつインテリアに相応しい態様で、施すことができている、という優れた効果を奏する。
【００４８】
また、本実施形態の造形装飾石鹸３０は、第１の添加剤２１であるキャスターオイルが配合された添加剤混合油脂５では、添加剤混合油脂５全体を１とすると、第１の添加剤２１は、添加剤混合油脂５全体に占める添加割合ｍを、０．０１≦ｍ≦０．１とした範囲内で配合されていること、を特徴とする。この特徴により、造形装飾石鹸３０は、装飾３２にキャスターオイルを含有しているため、キャスターオイルは、とろみを有した滑らか性状であることから、手等の素肌を洗う洗浄剤として、しっとりとした保湿感で使い心地の良い感触を、造形装飾石鹸３０の使用者に提供することができる。また、ソープクリーム１内でキャスターオイルが、上述した添加割合ｍ（０．０１≦ｍ≦０．１）で配合されていると、ソープクリーム１が、装飾３２を造形するにあたり、図５及び図６に示すように、造形後も型崩れしない程度の粘性で、絞り袋７０やコルネ７５等からスムーズに絞り出される。そのため、装飾３２が、実施例１，２に例示されている花びらや葉のように、小さくて薄く、柔和な曲線美をなす複雑な幾何学形状であっても、所望の形状に造形することができている。
【００４９】
また、本実施形態の造形装飾石鹸３０では、添加剤混合油脂５は、植物性油脂１０の主成分の一つに、少なくともココナッツオイルを含んでなること、を特徴とする。この特徴により、キャスターオイルとココナッツオイルとを組み合わせて配合された造形装飾石鹸３０を、手等の素肌を洗う用途で使用すると、弾力性に優れた泡が立つ。
【００５０】
また、本実施形態の造形装飾石鹸３０では、第２の添加剤２２である太白胡麻油が配合された添加剤混合油脂５では、添加剤混合油脂５全体を１とすると、第２の添加剤２２は、添加剤混合油脂５全体に占める添加割合ｎを、０．１≦ｎ≦０．５とした範囲内で配合されていること、を特徴とする。この特徴により、造形装飾石鹸３０は、手等の素肌を洗う洗浄剤として、過度な保湿感を抑えてさっぱりとした石鹸となる傍ら、造形された装飾３２の使用にあたり、程良い固さにすることができている。特に、第１の添加剤２１であるキャスターオイルと共に、第２の添加剤２２である太白胡麻油を配合した添加剤混合油脂５を用いて、ソープクリーム１が生成されていると、このソープクリーム１により造形された造形装飾石鹸３０は、キャスターオイルに起因した保湿感と、太白胡麻油に起因したさっぱり感とを、適度に両立して調和させた物性の石鹸となる。
【００５１】
また、本実施形態の造形装飾石鹸３０では、植物性油脂１０の主成分は、オリーブオイル、ココナッツオイル、及びパームオイルであること、を特徴とする。この特徴により、造形装飾石鹸３０は、適度な保湿効果と、高い洗浄力と、きめ細やかな泡立ちと、溶け難い固さとを、バランス良く調和させた性状となる。特に、パームオイルが含まれているため、装飾３２は、造形後も、型崩れし難い状態に仕上がっている。
【００５２】
また、本実施形態の造形装飾石鹸３０の製造方法の作用・効果について説明する。本実施形態の造形装飾石鹸３０の製造方法は、固形状の石鹸で造形された装飾３２を製造するにあたり、オリーブオイル、ココナッツオイル、及びパームオイルのうち、少なくとも何れかの油脂を主成分に含む植物性油脂１０と、キャスターオイル、または太白胡麻油のうち、少なくとも一方の油脂とを混合させた添加剤混合油脂５を、３５〜４５℃に温度調整すると共に、添加剤混合油脂５とは別で、苛性アルカリ水溶液６を、３５〜４５℃に温度調整する第１工程と、第１工程の後、添加剤混合油脂５と苛性アルカリ水溶液６とを混合した添加剤含有混合物１を撹拌することにより、粘度１００±１０（Ｐａ・ｓ）の範囲内にあるソープクリーム１を生成する第２工程と、を有すること、を特徴とする。この特徴により、造形装飾石鹸３０は、手等の素肌を洗う洗浄剤として、人体に優しい仕様の石鹸に仕上がっている上、インテリアとしても、人に共感を与える程に質感に富み、鑑賞の対象となり得る。
【００５３】
その理由について、説明する。流動性を帯びた初期状態の添加剤含有混合物１では、時間の経過と共に、固形化が進む。このとき、初期状態の添加剤含有混合物１の温度が、もし５０℃を大きく上回る高温になっていると、固形化は、急速に進行してしまう一方で、３０℃を大きく下回る低温になれば、固形化は、時間を長くかけてゆっくりと進行する。本実施形態の造形装飾石鹸３０の製造方法では、添加剤含有混合物１で固形化を促す温度は、第１工程により、３５〜４５℃（好ましくは、４０℃）としている。そのため、図５及び図６に示すように、絞り出されたソープクリーム１は、目安として、例えば、３０分間程度で固化し、所望の形状とした装飾３２に造形される。
【００５４】
他方、本実施形態の造形装飾石鹸３０の製造方法において、第２工程では、ソープクリーム１は、粘度１００±１０（Ｐａ・ｓ）の範囲内に生成にされており、自在に絞り出して造形するのに適した粘性状態になっている。特に、キャスターオイル（第１の添加剤２１）は、植物性の液体オイルの中で、粘度が高く、潤滑性に富む物性であるため、第１の添加剤２１が、ソープクリーム１に含有されていると、装飾３２の造形時に、ソープクリーム１は、絞り出された形を崩さない程度の粘度を保持しつつも、図５及び図６に示すように、絞り袋７０の口金７１等から滑らかに絞り出されるようになる。
【００５５】
このように、本実施形態の造形装飾石鹸３０の製造方法では、ソープクリーム１は、装飾３２を造形し易い滑らかさと、絞り出されてから固形化するまでを調節した方法となっている。これにより、絞り出されたソープクリーム１は、装飾３２を造形している間に、型崩れすることなく、意図とした所望の形状に沿って絞り出されたままの状態を維持して、固形になる。それ故に、実施例１，２に例示した花びらやその周囲の葉のように、装飾３２が、たとえ細やかで複雑な形状をなす緻密なものであっても、まるで実物であるかのように、精巧に造形することができる。しかも、実施例１，２の場合、造形された装飾３２（装飾部３１）では、花びらのしなり具合や、花びらの柔和な曲線美、花びらの艶、花びらと葉との調和等、花びらの美しさが、自然調のままの風合いで表現できている。従って、ソープクリーム１で造形した装飾部３１を備える造形装飾石鹸３０は、立体的な臨場感に満ち、人にインパクトを強く与える程、美術的な装飾品としての付加価値を高めたものになり得る。
【００５６】
従って、本実施形態の造形装飾石鹸３０の製造方法によれば、手等の素肌を洗う洗浄剤としても優れている上、装飾３２（装飾部３１）が立体的で複雑な意匠である場合でも、造形による装飾部３１を、人に共感を与える程に質感に富み、かつインテリアに相応しい態様で、施すことができている、という優れた効果を奏する。
【００５７】
また、実施形態の造形装飾石鹸３０の製造方法は、第２工程では、添加剤含有混合物１に着色剤を配合して撹拌することにより、着色した添加剤含有混合物１を生成すること、を特徴とする。この特徴により、実施例１，２に例示したような、花びらやその周囲の葉等の装飾３２が、意匠上、特徴ある色彩で造形できるため、美術的に付加価値が高い造形装飾石鹸３０を提供することができる。
【００５８】
以上において、本発明を実施形態に即して説明したが、本発明は上記実施形態に限定されるものではなく、その要旨を逸脱しない範囲で、適宜変更して適用できる。
【００５９】
（１）例えば、実施形態では、図２と共に、ソープクリーム１の生成方法を説明したが、ソープクリーム１の生成に使用する道具は、一例に過ぎず、特に限定されるものではない。
（２）また、実施形態では、装飾３２を、洋菓子をモチーフにして造形したが、ソープクリーム１を使って造形する装飾は、実施形態に限定されるものではなく、幾何学的な立体形状のほか、例えば、図柄や模様、文字等でも良く、ソープクリーム１を自在に絞り出して造形されるものであれば、何でも良い。
【００６０】
（３）また、実施形態では、絞り袋７０やコルネ７５に充填したソープクリーム１を、造形装飾石鹸３０の本体部３４に直接、絞り出して装飾３２を造形したが、本発明の造形装飾石鹸の製造方法の第２工程で生成されたクリーム状の添加剤含有混合物は、型を用いた成形によって、造形されても良い。
（４）また、実施形態では、第２の添加剤２２を太白胡麻油としたが、第２の添加剤は、太白胡麻油以外にも、例えば、サラダ油、キャノーラ油等の油脂でも良い。
【符号の説明】
【００６１】
１  添加剤含有混合物
５  添加剤混合油脂
６  苛性アルカリ水溶液
１０  植物性油脂
２０  添加剤
２１  第１の添加剤
２２  第２の添加剤
３０  造形装飾石鹸
３１，３１Ａ，３１Ｂ  装飾部
３２，３２Ａ，３２Ｂ  装飾
【図１】
2020200398.tif 000003
【図２】
2020200398.tif 000004
【図３】
2020200398.tif 000005
【図４】
2020200398.tif 000006
【図５】
2020200398.tif 000007
【図６】
2020200398.tif 000008
【図７】
2020200398.tif 000009
【図８】
2020200398.tif 000010